(57)【要約】      （修正有）【課題】各種液体飲料やポップコーン等の飲食物を保管・持ち運び・移送・運搬・飲食する時に内容物が零れたり、漏れることが無く、しかも必要に応じて再利用（リターナブル）することを目的としたヒンジロック係止で封被した蓋材の付いた包装用容器を提供する。【解決手段】蓋材５は略方形の紙を基材６とし、基材の各対角線上に切り込みと切り込みに連続する折込線とを連設して形成される天板部材と天板部材裏面に切り込みに装着された円形板部材を重合して形成され、切り込みと折込線の折曲により切口を形成すると共に切口を介して当接係止片を設ける。店頭では容器本体２に内容物を入れ、蓋材５で開口部３をヒンジロック係止で封被し、零れや漏れを防止する。飲用時には蓋材５の外側端部に設けた突出支持片に挟持したストローを切り込みに差し込み飲用する。持ち運びには蓋材５に設けた手提げ片で課題を解決する。【選択図】図１
2008074485.tif 000002
【特許請求の範囲】
【請求項１】
カップ状の容器本体２と、この容器本体２の開口部３に装着して、この開口部３を封被する蓋材５とからなり、この蓋材５は略方形の紙を基材６とし、この基材６の各対角線上に切り込み７、８、９、１０とこの切り込み７、８、９、１０に連続する折込線１１、１２、１３、１４、１５、１６、１７、１８とを連設して形成される天板部材２０とこの天板部材２０裏面に切り込み７、８、９、１０に装着された円形板部材２１を重合して形成され、切り込み７、８、９、１０と折込線１１、１２、１３、１４、１５、１６、１７、１８の折曲により切口３０、３１、３２、３３を形成することを特徴とする包装用容器。
【請求項２】
前記切り込み７、８、９、１０と折込線１１、１２、１３、１４、１５、１６、１７、１８の折曲により形成される切口３０、３１、３２、３３を介して当接係止片３４、３５、３６、３７を設けたこと特徴とする請求項１記載の包装用容器。
【請求項３】
前記蓋材５の外側端部３８に、吸引ストロー等の販促用器具４４を挟持できる二本の突出支持片３９、４０を設けると共にその略中央域に吸引ストロー等の販促用器具４４を差し込みできる切り込み４２、４３を設けたたことを特徴とする請求項１または請求項２記載の包装用容器。
【請求項４】
前記蓋材５に切り込み４５、４６、４７、４８を設け、カップ状の容器本体２を提げられる手提げ片５５、５６を設けたことを特徴とする請求項１または請求項２記載の包装用容器。
【発明の詳細な説明】
【技術分野】
【０００１】  本発明は店頭等においてジュース・コーラー等の各種液体飲料やポップコーン等の飲食物を小分けして販売する際に、持ち運びに使用され、ヒンジロック係止で封被する包装用容器に関するものある。
【背景技術】
【０００２】  従来、コンビニンストアやファーストフード店等では各種飲料や他の飲食物を小分けして販売する場合には、紙又は合成樹脂製のカップ状の容器本体とこれの開口部に被せる合成樹製蓋とで構成される包装用容器（主としてカップ容器）が持ち運びに一般に広く使用され、例えば、
液体飲料を入れたコップ等の包装用容器の開口部にはプラスチック製蓋が被せ蓋として多く使用されている。（以下ドリンクリッド蓋使用という）
ヨーグルト等のデザート類やカップ入り菓子を入れた包装用容器の開口部にはアルミ箔等をシールして蓋として多く使用されている。（以下シール蓋使用という）
アイスクリームやジャム等の非液体食品の場合には、これらを入れた包装用容器の開口部には上記シール蓋と別に製作された紙製蓋を組み合わせて使用されている。（以下組合せ蓋使用という）
【特許文献１】特開平６−１０００２９号公報
【特許文献２】実開昭６１−１２７２６号公報
【発明の開示】
【発明が解決しようとする課題】
【０００３】  シール蓋を使用した包装用容器では、シールの力で蓋材と包装用容器との接着結合力は生じるも、包装用容器に入れられた飲食物の内容量によっては一度に食べられないこともあってシール蓋を開封すると反復して使用できないという課題がある。（特許文献１特開平６−１０００２９号公報参照）【０００４】  ドリンクリッド蓋を使用した場合コップ等の包装用容器に液体飲料やポップコーン等の加工食品を入れて容易にこの蓋を使用して封被することができ、前記容器のフランジ部や捲込部にこの蓋を被せ引っ掛け係止する方法が採用されている。一度開封しても反復して封被に使用できるも、たまたまこの蓋を使用して容器に入れたまま床に落としたり逆さまにさせたりするとこの容器に使用している蓋が外れ液体飲料や菓子等の内容物が零れてしまう課題がある。（特許文献１特開平６−１０００２９号公報・特許文献２実開昭６１−１２７２６号公報参照）【０００５】  前記組合せ蓋を使用するカップ等の包装用容器では、アイスクリームやジャム等の非液体食品を前記容器に入れてその開口部を上記シール蓋で封被して保護し、さらに別に製作された紙製蓋等を封緘蓋として使用することが多い。この場合前記容器と紙製蓋等の封緘蓋と結合封被力は低く、封緘蓋だけを持つと外れてしまうという課題もある。【０００６】  本発明は上記の課題に鑑み、新規に発明されたジュース・コーラー等の各種液体飲料やポップコーン等の飲食物を保管・持ち運び・移送・運搬・飲食する時に内容物が零れたり、漏れることが無く、しかも必要に応じて再利用（リターナブル）することを目的としたヒンジロック係止で封被した蓋材の付いた包装用容器を提案するものである。
【課題を解決するための手段】
【０００７】  本発明は上記の目的を達成するためにカップ状の容器本体２と、この容器本体２の開口部３に装着して、この開口部３を封被する蓋材５とからなり、この蓋材５は略方形の紙を基材６とし、この基材６の各対角線上に切り込み７、８、９、１０とこの切り込み７、８、９、１０に連続する折込線１１、１２、１３、１４、１５、１６、１７、１８とを連設して形成される天板部材２０とこの天板部材２０裏面に切り込み７、８、９、１０に装着された円形板部材２１を重合して形成され、切り込み７、８、９、１０と折込線１１、１２、１３、１４、１５、１６、１７、１８の折曲により切口３０、３１、３２、３３を形成していることを特徴とする。【０００８】  また、請求項２記載の包装用容器は、請求項１の包装用容器において、切り込み７、８、９、１０とこの切り込み７、８、９、１０に連続する折込線１１、１２、１３、１４、１５、１６、１７、１８の折曲により形成される切口３０、３１、３２、３３を介して当接係止片３４、３５、３６、３７を設けたことを特徴とする。【０００９】  請求項３記載の包装用容器は、請求項１または請求項２の包装用容器において蓋材５を構成する天板部材２０の外側端部に、ストロー等の販促用器具４４を挟持する支持片３９、４０を設けると共に蓋材５を構成する天板部材２０と円形板部材２１のそれぞれの略中央域に吸引ストロー等の販促用器具４４を貫通して差し込みできる切り込み４２、４３を設けたことを特徴とする。【００１０】  請求項４記載の包装用容器は、請求項１または請求項２の包装用容器において、蓋材５を構成する天板部材２０の略中央域に切り込み４５、４６、４７、４８を設けて、カップ状容器本体２を提げられる手提げ片５５、５６を構成したことを特徴とする。
【作用】
【００１１】  上記の構成からなる本発明の包装用容器は、容器本体に内容液であるジュース・コーラー等の各種液体飲料やポップコーン等の非液体食品を入れた後、容器本体の開口部に蓋材が装着され、この開口部が蓋材でヒンジロック係止されて封被される。
この蓋材を構成する天板部材を形成する際に設けた切り込みと折込線を折曲して切口が形成される。この切口には、天板部材の裏面に装着された円形板部材と容器本体開口部の捲込カール部が装入され、蓋材を構成する天板部材と当接係合片とが協働して円形板部材と容器本体開口部の捲込カール部を挟み、円形板部材を捲込カール部上面に密着させ、封被状態を維持して内容物の零れや漏れを防ぎ、また蓋材を構成する天板部材の外側端部に設けた二本の突出支持片で販促用器具を挟み支持し、ヒンジロック係止して封被状態のカップ状の容器本体を手提げ片で、持ち運び・移送等ができる。
更に、切り込みで吸引ストロー等の販促用器具を貫通させる差し込み孔を形成し、吸引ストロー等の販促用器具を前記孔に差し込むと、液体飲料を飲めるという役目を果たす。
ポップコーン・即席麺等の非液体食品の販売時には、二本の突出支持片で挟み支持した割り箸等を使用して非液体食品を食べられる。
【考案の効果】
【００１２】  以上説明したように本発明の包装用容器はカップ状の容器本体と、この容器本体の開口部に装着して、この開口部をヒンジロック係止で封被する蓋材とからなり、この蓋材は略方形の紙を基材とし、この基材の各対角線上に切り込みとこの切り込みに連続する折込線とを連設して形成される天板部材とこの天板部材裏面に前記切り込みに装着された円形板部材を重合して形成され、この切り込みとこの折込線の折曲により切口を形成することを特徴とする。この切口には円形板部材とカップ状の容器本体開口部の捲込カール部が装入され、蓋材を構成する天板部材と当接係合片とが協働して円形板部材と容器本体開口部の捲込カール部を挟み、円形板部材を捲込カール部上面に密着させてヒンジロック係止して封被状態を維持でき、内容物の零れや漏れを防止できるという効果を奏する。
【００１３】  本発明の包装用容器は、保管・持ち運び・移送や運搬時に包装用容器が揺れても液体飲料等の内容物の零れや漏れを防止し、内容物が残った場合にも再度封被（リターナブル）して使用できる。液体飲料その他飲食物を小分けして販売する時には、販促用器具のストローや割り箸等の飲食用器具やキャラクター玩具を蓋体外側端部の突設支持片に挟み支持させて販売し、販売促進の役目を果たすことができる。又液体飲料の飲用時には切り込みに吸引ストローを差し込んで飲用することもでき、液体飲料の零れや漏れを防げる。
さらに、カップ状の容器本体に比較的高温の飲食物を入れた時には、この容器本体を手提げ片で、提げて高温に触れることなく持ち運びできるという効果も奏する。
【発明を実施するための形態】
【００１４】  以下図面に従って本発明の実施形態を説明すると、
図１ないし図６は、本発明の第一実施形態を示す図面である。
図７ないし図１１は、本発明の第二実施形態を示す図面である。
図１２ないし図１６は、本発明の第三実施形態を示す図面である。
【００１５】  本発明の第一実施形態に係る包装用容器を図１ないし図６に基づいて説明すると、図１は本発明の第一実施形態に係る包装用容器を示す斜視図、図２は図１のＡ−Ａ縦断面図で、図３は図１に示した包装用容器の分解斜視図で、図４は包装用容器の主要部を構成する蓋材の斜視図で、図５は図４で示した蓋材の平面図である。図６は図１のカップ状の容器本体の開口部に蓋材をヒンジロック係止して封被する状態を示す説明図
【００１６】  上記図１ないし図６に示すように、本発明の包装用容器１はカップ状の容器本体２と、この容器本体２の中に液体飲料等の内容物を入れた後で、この容器本体２の開口部３に装着して、この開口部３を封被する蓋材５とからなる。この蓋材５は、略方形の紙を基材６としている。
【００１７】  カップ状の容器本体２は厚紙の内外面にポリエチレン薄膜を被覆してなる加工紙で成型され、その開口部３の周縁に捲込カール部４を有しカップ状の容器形状をしている。
上記加工紙は厚紙単体でも良く、  前記容器本体２の開口部３の周縁の捲込カール部４はフランジ部の形状でも良い。従って前記容器本体２は従来の紙カップでも良く或いはプラスチック製カップを使用しても良い。
【００１８】  図４の蓋材５の斜視図と、図５の蓋材５の平面図に示す本発明の包装用容器の主要部を構成する蓋材５は、略方形の紙を基材６とする加工紙で構成され、前記容器本体２と同様に厚紙の内外面にポリエチレン薄膜を被覆してなる加工紙である。この厚紙は３００ｇ／ｍ２〜４５０ｇ／ｍ２の厚紙が好適である。
基材６は厚紙単体でもまたは同効質の他の素材、例えばプラスチックス製薄片等の合成樹脂製薄片であっても本発明の目的は達成できる。
【００１９】  蓋材５は、基材６の各対角線上に切り込み７、８、９、１０とこの切り込み７、８、９、１０に連続する折込線１１、１２、１３、１４、１５、１６、１７、１８とを連設して形成される天板部材２０と、この天板部材２０裏面に前記切り込み７、８、９、１０に装着された円形板部材２１を重合して形成される。円形板部材２１の外径は容器本体２の開口部３の外径と同一若しくは若干大きい外径である。本発明の包装用容器の封被状態を維持するには若干大きい外径の円形板部材２１が好適である。
【００２０】  図５の蓋材５の平面図に示すようにこの基材６は、蓋材５の略方形の基材で、その各対角線上に相対向して皿状の切り込み７、８、９、１０と、この切り込み７、８、９、１０に連続する折込線１１、１２、１３、１４、１５、１６、１７、１８並びに基材６の各隅に各対隅片２２、２３、２４、２５を設け、この切込線７、８、９、１０と折込線１１、１２、１３、１４、１５、１６、１７、１８とを連設囲繞して蓋材５を構成する天板部材２０が形成される。
この基材６の一方の対角線上の相対向する皿状の切り込み７、９の端部からは、折込線１１、１２、１５、１６が切り込み７、９と平行な状態で左右に延設されている。
また図５の蓋材５の平面図に示すように前記切り込み９の端部と前記折込線１５、１６の端部が交わり交点ｉ、ｌを形成し、前記切り込み９の左右を折曲させて両折曲点ｊ、ｋを形成し、これら交点ｉ、ｌと折曲点ｊ、ｋを仮想線（図示せず）で結ぶと仮想台形ｉ、ｊ、ｋ、ｌが構成される。
同様に、前記切り込み７の端部と前記折込線１１、１２の端部が交わり交点ａ、ｃを形成し、前記切り込み７の左右を折曲させて両折曲点ｂ、ｄを形成し、これら交点ａ、ｃと折曲点ｂ、ｄを仮想線（図示せず）で結ぶと仮想略台形ｄ、ｂ、ｃ、ａが構成される。
【００２１】  図５の蓋材５の平面図に示すようにこの基材６の他方向の対角線上に相対向する皿状の切り込み８、１０の端部からも、折込線１３、１４、１７、１８が切り込み８、１０と平行な状態で延設されている。同様に、前記切り込み８の端部と折込線１３、１４の端部の交点をｅ、ｈとし、前記切り込み８の左右を折曲させて両折曲点ｆ、ｇを形成し、これら基点ｅ、ｈと・折曲点ｆ、ｇを仮想線（図示せず）で結ぶと仮想略台形ｇ、ｆ、ｈ、ｅが構成される。
加え、前記切り込み１０の端部と前記折込線１７、１８の端部の交点をｍ、ｐとし、前記切り込み１０の左右を折曲させて両折曲点ｎ、ｏを形成し、これら交点ｍ、ｐと折曲点ｎ、ｏを仮想線（図示せず）で結ぶと仮想略台形ｏ、ｎ、ｐ、ｍが構成される。
【００２２】  前記折込線１２、１３は延設されて、基材６の周縁近傍で山型状に交わり頂点２６を形成し、折込線１２と折込線１３とは頂点２６で連接する。同様にして延設される折込線１４、１５も前記同様に構成され、折込線１４と折込線１５とは頂点２７で、また延設される折込線１６、１７も前記同様に構成され、折込線１６と折込線１７とは頂点２８で、さらに延設される折込線１８、１１も前記同様に構成され、折込線１８と折込線１１とは頂点２９で、それぞれ連接囲繞されて基材６に天板部材２０が形成される。
【００２３】  本発明の第一実施形態に係る包装用容器を取得するには、先ず、容器本体２の円形の開口部３に蓋材５を載せ（図６（イ）参照）、略方形の基材６の一方向で相対向する１組の対隅片２２、２４の内、対隅片２４を支持して皿状の切り込み９とこれに連続する折込線１５、１６を折曲して、蓋材５の切口３２と当接係止片３６を形成する。尚、この切口３２の大きさは、前記仮想略台形ｋ、ｊ、ｌ、ｉと同じ大きさである。
次にこの切口３２に、カップ状の容器本体２の開口部３を封被する円形板部材２１と前記開口部３の周縁の捲込カール部４を装入し、一番目に当接係止片３６を図６（ロ）の実線矢印（１）方向に前記容器本体２を押圧しながら折込線１５、１６を折曲すると、天板部材２０と当接係合片３６とが協働して前記円形板部材２１と前記開口部３周縁の前記捲込カール部４をヒンジロック係止し、前記捲込カール部４の直下に当接係合片３６を当接させる。
この時、図６（ロ）の実線矢印（１）方向にヒンジロック係止に加えた力により、前記円形の開口部３の形状が膨らみ変型し、やや楕円形状を呈する。（図６（ロ）参照）
上記のように、前記容器本体２の開口部３を蓋材５で封被する方法は、ヒンジロック係止によって前記開口部３を封被する方法による。
【００２４】  次いで基材６の相対向する対隅片２２を支持して切り込み７とこの切り込み７に連続する折込線１１、１２を折曲して蓋材５に切口３０と当接係止片３４とを形成する。尚、この切口３０の大きさは、前記仮想略台形ｂ、ｄ、ｃ、ａと同じ大きさである。
次に前記切口３０に、蓋材５を構成し前記開口部３を封被する前記円形板部材２１と前記開口部３周縁の捲込カール部４を装入し、二番目に当接係止片３４を図６（ハ）の実線矢印（２）方向に容器本体２を押圧しながら折込線１１、１２を折曲すると、天板部材２０と当接係止片３４とが協働して前記円形板部材２１と前記開口部３周縁の捲込カール部４をヒンジロック係止させて、当接係止片３４を捲込カール部４の直下に当接させる。
この時、図６（ハ）の実線矢印（２）方向にヒンジロック係止に加えた力は前記開口部３内周壁の左右方向（図６（ハ）の鎖線矢印両方向）に作用し、やや楕円形状の前記開口部３がさらに膨らみ変型し、楕円形状を呈する。
【００２５】  次いで基材６の他方向で相対向する１組の対隅片３５、３７の内、対隅片３７を支持して切り込み１０とこの切り込み１０に連続する折込線１７、１８を折曲して蓋材５に切口３３と当接係止片３７とを形成する。尚、この切口３３の大きさは、前記仮想略台形ｏ、ｎ、ｐ、ｍと同じ大きさである。
次に前記切口３３に、蓋材５を構成し前記開口部３を封被する円形板部材２１と開口部３周縁の捲込カール部４を装入し、三番目に当接係止片３７を図６（ニ）の実線矢印（３）方向に前記容器本体２を押圧しながら切り込み１０と折込線１７、１８により折曲すると、天板部材２０と当接係止片３７とが協働して前記円形板部材２１と開口部３周縁の前記捲込カール部４をヒンジロック係止させて、当接係止片３７を捲込カール部４の直下に当接させる。
この時、図６（ニ）の実線矢印（３）方向にヒンジロック係止に加えた力は前記開口部３内周壁の横方向（図６（ニ）の鎖線矢印方向）に作用し、楕円形状の前記開口部３の形状がさらに力の作用が少ない方向に膨らみ変型し、前記楕円形状の開口部３はやや円形形状に復元しながら卵形形状を呈する。（図６（ニ）参照）
【００２６】  次いで基材６の相対向する対隅片２３を支持して切り込み８とこの切り込み８に連続する折込線１３、１４を折曲して蓋材５に切口３１と当接係止片３５とを形成する。尚、この切口３１の大きさは、前記仮想略台形ｇ、ｆ、ｈ、ｅと同じ大きさである。
次に前記切口３１に、蓋材５を構成し前記開口部３を封被する前記円形板部材２１と開口部３周縁の捲込カール部４を装入し、四番目に当接係止片３５を図６（ホ）の実線矢印（４）方向に前記容器本体２と共に押圧しながら切り込み８と折込線１３、１４、を折曲すると、天板部材２０と当接係止片３５とが協働して前記円形板部材２１と開口部３周縁の前記捲込カール部４をヒンジロック係止して、当接係止片３５を捲込カール部４の直下に当接させる。
図６（ホ）の実線矢印（４）方向にヒンジロック係止に加えた力は前記開口部３内周壁に作用し、先に前記開口部３に加えられた力｛図６（ロ）（ハ）（ニ）の実線矢印（１）（２）（３）で示した力｝と結合し増幅する。
【００２７】  この結合した力は前記開口部３内周壁で比較的力の作用が少ない前記周壁に作用して、卵形形状に変型した開口部３の内周壁を押し広げる。即ち図６（ホ）で示した鎖線矢印四方向の容器本体２の開口部３内周壁付近に作用する。この結果先に図６（ニ）で卵形形状を呈していた開口部３は略円形形状に復元する。（図６（ホ）参照）
加えて、前記開口部３が略円形形状に復元する際に、前記捲込カール部４の直下に当接しヒンジロック係止している各当接係止片３４、３５、３６、３７をさらに外方に押し広げる作用が働き、結果ヒンジロック係止力をさらに強く発揮させて、カップ状の容器本体２の開口部３を蓋材５で封被する効果を奏した包装用容器を取得できる。
よって、本発明は液体飲料や非液体食品の保管・持ち運び・移送・運搬・飲食する時に内容物の零れや漏れることを防止できる。
【００２８】  本発明の包装用容器１に入った液体飲料等の飲食物を飲食する場合には、蓋材５をカップ状の容器本体２の開口部３から取り外しヒンジロック係止された封被状態を解除することが必要で、先ず蓋材５を構成する天板部材２０の外面を押さえ、捲込カール部４にヒンジロック係止されている各当接係止片３４、３５、３６、３７を順次摘み、引き上げ封被解除力を加えると、蓋材５は各当接係止片３４、３５、３６、３７の内側先端部がカップ状の容器本体２の周壁を梃子として捲込カール部４に前記引き上げ封被解除力が作用して順次容易にヒンジロック係止が外れ、蓋材５は前記容器本体２から外れ、カップ状の容器本体２に入っている飲食物が表れるので飲食できる。
【００２９】  次に本発明の第二実施形態に係る包装用容器を図７ないし図１１に基づいて説明すると、図７は、本発明の第二実施形態に係る包装用容器を示す斜視図、図８は図７のＢ−Ｂ縦断面図で、図９は図７に示した包装用容器の分解斜視図で、図１０は包装用容器の主要部を構成する蓋材の斜視図で、図１１は図１０で示した蓋材５の平面図である。
尚、第二実施形態に係る包装用容器を構成する各部材及び基材で、第一実施形態と同一の各部材及び基材には第一実施形態に付した符号と同一符号を付してある。
【００３０】  また上記図７ないし図１１に示すように、本発明の第二実施形態に係る包装用容器１は、カップ状の容器本体２と、この容器本体２の中に液体飲料等の内容物を入れた後で、この容器本体２の開口部３に装着して、この開口部３を封被する蓋材５とからなる。
図７に示す第二実施形態に係る包装用容器１を構成する主要部のカップ状の容器本体２も、第一実施形態に係るカップ状の容器本体２と同一素材と形状で、厚紙の内外面にポリエチレン薄膜を被覆してなる加工紙で成型され、その開口部３周縁に捲込カール部４を有しカップ状の容器形状２をしている。
図７で示す蓋材５も第一実施形態に係るカップ状の容器本体２と同一基材６で、天板部材２０と円形板部材２１から構成される。天板部材２０は基材６の加工紙を打抜加工して形成され、切り込み７、８、９、１０に連続する折込線１１、１２、１３、１４、１５、１６、１７、１８の折曲により形成され、その略中央域には切り込み４２が設けられている。また円形板部材２１も予め別に打抜加工して成型され、その略中央域には切り込み４３が設けられている。この蓋材５は、天板部材２０と天板部材２０裏面の前記切り込み７、８、９、１０に装着された円形板部材２１を重合して形成される。
また基材６で形成される蓋材５は、基材６に切り込み７、８、９、１０に連続する折込線１１、１２、１３、１４、１５、１６、１７、１８を打抜加工して成型される蓋材５を構成する天板部材２０を形成すると共に、基材６の対隅片２２と対隅片２５の辺で、蓋材５の外側端部３８中央の位置に、相互に交わる折込線１１、１８の端部を頂点２９とする二本の突出支持片３９、４０と、この突出支持片３９、４０の間に空間部４１とが突設されている。
【００３１】  第二実施形態の包装用容器を取得するには、前述の第一実施形態と同じようにカップ状の容器本体２の開口部３に蓋体５を被せ、蓋体５でこの容器本体２の開口部３をヒンジロック係止して封被すると取得できる。
前記蓋体５でカップ状の容器本体２の開口部３をヒンジロック係止して封被するには、第一実施形態で示したように切り込み７、８、９、１０に連続する折込線１１、１２、１３、１４、１５、１６、１７、１８の折曲により切口３１、３２、３３、３４を形成し、先ず切口３１、３２に、蓋材５を構成し開口部３を封被する円形板部材２１と開口部３周縁の捲込カール部４を装入し、順次当接係止片３５、３６を前記容器本体２共に押圧しながら切り込み８、９と折込線１３、１４、１５、１６より折曲すると、天板部材２０と当接係止片３５、３６とが協働して前記円形板部材２１と前記捲込カール部４をヒンジロック係止して、当接係止片３５を捲込カール部４の直下に当接させる。
【００３２】  さらに、同様に順次切口３０、３３に蓋材５を構成し前記開口部３を封被する円形板部材２１と開口部３周縁の捲込カール部４を装入し、当接係止片３４、３７を前記容器本体２を押圧しながら切り込み７、１０と折込線１１、１２、１７、１８により折曲すると、天板部材２０と当接係止片３４、３７とが協働して前記円形板部材２１と開口部３周縁の前記捲込カール部４をヒンジロック係止して、当接係止片３４、３７を捲込カール部４の直下に当接される。上記の如く当接係止片３４、３７を切り込み７、１０により折曲すると、この折曲により順次折込線１１、１８も折込まれ、この折込に連繋して前記二本の突出支持片３９、４０も折曲されると共に、空間部４１の空間も狭く折り込まれるので、この空間部４１に吸引ストローやキャラクター玩具並びに割り箸等の飲食器具の販促用器具４４を突出支持片３９、４０で挟持させたり、掛止めしたり、挿入することで第二実施形態に係る包装用容器１を取得できる。
特に販促用器具４４として吸引ストローが挟持されているときは、吸引ストローを外し蓋材５の切り込み４２、４３に差し込み貫通させると、液体飲料を吸引して飲むことができ、液体飲料の零れを防止できる。
上記のように、本発明の包装用容器は使用時に便益大なるものを期待でき、販売促進に効果を期待できる。
【００３３】  図９中、切り込み４２は前記天板部材２０の略中央域に設けた切り込みで、放射状の切り込みである。切り込み４２はハーフカットの切れ目やミシン目で、ストロー等の販促用器具４４を切り込み４２に差し込み貫通しても、切り込み４２により切離し片が千切れない状態の形状の切れ目であれば本考案の目的を達成できる。  切り込み４２の形状は差し込み孔の形状であれば、放射形状に限定されるものでなく、三角形、方形、多角形でもよい。
切り込み４３は、円形の打ち抜き孔で、前記円形板部材２１の略中央域に設けた切り込みである。この切り込み４３も円形に限定されるものでなく、上記切り込み４２よりも大きな孔であれば三角形、方形、多角形でもよい。
【００３４】  本発明の第三実施形態に係る包装用容器を図１２ないし図１６に基づいて説明すると、図１２は、本発明の第三実施形態に係る包装用容器１を示す斜視図、図１３は図１２のＣ−Ｃ縦断面図で、図１４は図１２に示した包装用容器の分解斜視図で、図１５は本発明の包装用容器の主要部を構成する蓋材の斜視図で、図１６は図１５で示した蓋材の平面図である。
尚、第三実施形態に係る包装用容器を構成する各部材及び基材で、第一実施形態と同一の各部材及び基材には第一実施形態に付した符号と同一符号を付してある。
【００３５】  図１２に示す本発明の第三実施形態に係る包装用容器１は、カップ状の容器本体２に飲食物を入れた後、蓋材５が容器本体２の開口部３をヒンジロック係止して封被された包装用容器１を示し、本発明の包装用容器１を簡便に持ち運びできるもので、その主要部を構成する蓋材５は、第一実施形態に係ると蓋材５と同一で、同一の加工紙を打抜加工して略方形の紙を基材６を蓋材５とし、前記打抜加工と同時に蓋材５を構成する天板部材２０の略中心域に、左右対称に「コ」の字状の大きな二本の切り込み４５、４６と小さな二本の切り込み４７、４８を打抜加工して設け、この天板部材２０裏面に、予め別に打抜加工して形成した円形板部材２１を装着重合して形成される。
【００３６】  第三実施形態の包装用容器を取得するには、第一実施形態・第二実施形態と同じようにカップ状の容器本体２の開口部３に蓋材５を被せ、蓋材５で前記容器本体２の開口部３をヒンジロック係止して封被すると取得できる。この為に、第一実施形態で示したように切り込み７、８、９、１０に連続する折込線１１、１２、１３、１４、１５、１６、１７、１８の折曲により切口３１、３２、３３、３４を形成し、順次この切口３０、３１、３２、３３に前記円形板部材２１と開口部３周縁の前記捲込カール部４を装入し、当接係止片３４、３５、３６、３７を前記容器本体２と共に押圧しながら順次切り込み７、８、９、１０と折込線１１、１２、１３、１４、１５、１６、１７、１８を折曲すると、天板部材２０と当接係止片３４、３５、３６、３７とが協働して円形板部材２１と開口部３周縁の捲込カール部４を順次ヒンジロック係止して、当接係止片３４、３５、３６、３７を捲込カール部４の直下に当接させて、カップ状の容器本体２の開口部３を封被することができる。
次に、切り込み４５、４６、４７、４８で形成される手提げ片５５、５６を、折曲線４５、４６、４７、４８を谷折りして起立させて手提げ片５５、５６を成型すると第三実施形態に係る包装用容器１を取得できる。前記手提げ片５５、５６を持てばこの包装用容器１を持ち運びできる。
実施形態の手提げ片５５、５６は「コ」の字状の手提げ片を大小一対の切り込みを二組で形成したが、この切り込みは山型形状、三角形状、半円形状のいずれの切り込みの形状でも本発明の手提げ片を形成できる。
第三実施形態に係る包装用容器は、カップ状の容器本体２に入れられる各種液体飲料等の内容物が比較的高温で、直接この容器本体２を持っての持ち運びが困難な場合には手提げ片５５、５６を持って持ち運びができ、利便性を発揮する。
【産業上の利用可能性】
【００３７】  本発明はコンビニエンスストア、ファーストフード店等の店頭で各種液体飲料やポップコーン等の他の飲食物を小分けして販売する際にヒンジロック係止力で封被して、持ち運びに使用される蓋材の付いた包装用容器に関するもので使用に好適で、便益を奏する。
【図面の簡単な説明】
【００３８】
【図１】本発明の第一実施形態を示す包装用容器の斜視図である。
【図２】図１のＡ−Ａ断面図である。
【図３】図１に示した包装用容器の分解斜視図である。
【図４】図１に示した包装用容器の主要部分を構成する蓋材の斜視図である。
【図５】図４に示した蓋材の平面図である。
【図６】図１に示した包装用容器の主要部分を構成するカップ状の容器本体の開口部の捲込カール部に蓋材を順次ヒンジロックする状態を示す説明図  （イ）は、前記容器本体の開口部に蓋材を載せた状態を示す。（ロ）は、前記容器本体の開口部の捲込カール部に一番目に当接係止片をヒンジロックする状態  （ハ）は、前記容器本体の開口部の捲込カール部に二番目に当接係止片をヒンジロックする状態  （ニ）は、前記容器本体の開口部の捲込カール部に三番目に当接係止片をヒンジロックする状態  （ホ）は、前記容器本体の開口部の捲込カール部に四番目に当接係止片をヒンジロックする状態と開口部が略円形に復元した状態をそれぞれ示している。
【図７】本発明に係る包装用容器の第二実施形態を示す斜視図である。
【図８】図７のＢ−Ｂ断面図である。
【図９】図７に示した包装用容器の分解斜視図である。
【図１０】図７に示した本発明の包装用容器の主要部分の蓋材の斜視図である
【図１１】図７に示した蓋材の平面図である。
【図１２】本発明に係る包装用容器の第三実施形態を示す斜視図である。
【図１３】図１２のＣ−Ｃ断面図である。
【図１４】図１２に示した包装用容器の分解斜視図である。
【図１５】図１２に示した包装用容器の主要部分の蓋材の斜視図である。
【図１６】図１５に示した蓋材の平面図である。
【符号の説明】
【００３９】１  包装用容器
２  カップ状の容器本体
３  開口部
４  捲込カール部
５  蓋材
６  基材
７、８、９、１０  切り込み
１１、１２、１３、１４、１５、１６、１７、１８  折込線
２０  天板部材
２１  円形板部材
２２、２３、２４、２５、  対隅片
２６、２７、２８、２９、  頂点
３０、３１、３２、３３、  切口
３４、３５、３６、３７、  当接係止片
３８  外側端部
３９、４０  突出支持片
４１  空間部
４２、４３  切り込み
４４、  販促用器具
４５、４６、４７、４８  切り込み
４９、５０、５１、５２、  折曲線
５５、５６  手提げ片
ａ、ｃ、ｅ、ｈ、ｉ、ｌ、ｍ、ｐ  交点
ｂ、ｄ、ｆ、ｇ、ｊ、ｋ、ｎ、ｏ  折曲点
【図１】
2008074485.tif 000003
【図２】
2008074485.tif 000004
【図３】
2008074485.tif 000005
【図４】
2008074485.tif 000006
【図５】
2008074485.tif 000007
【図６】
2008074485.tif 000008
【図７】
2008074485.tif 000009
【図８】
2008074485.tif 000010
【図９】
2008074485.tif 000011
【図１０】
2008074485.tif 000012
【図１１】
2008074485.tif 000013
【図１２】
2008074485.tif 000014
【図１３】
2008074485.tif 000015
【図１４】
2008074485.tif 000016
【図１５】
2008074485.tif 000017
【図１６】
2008074485.tif 000018